【手続補正書】
【提出日】平成19年10月25日(2007.10.25)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】特許請求の範囲
【補正方法】変更
【補正の内容】
【特許請求の範囲】
【請求項１】  接触位置を示す位置データを出力するトラックパッド部を有するリモートコントロール装置から送信された前記位置データを受信する受信手段を有する表示装置であって、
前記表示装置を制御するために用いられる操作パネルを表示する表示手段と、
前記操作パネルに含まれる複数の操作可能な要素を前記複数の操作可能な要素の配列を変えることなく前記トラックパッド部に割り当て、前記受信手段により受信された前記位置データに従って前記操作パネルを制御する制御手段とを有することを特徴とする表示装置。
【請求項２】  前記トラックパッド部は、検知圧力を示す圧力データを出力するものでもあり、
前記受信手段は、前記リモートコントロール装置から送信された前記圧力データを受信するものでもあり、
前記制御手段は、前記受信手段により受信された前記位置データと、前記受信手段により受信された前記圧力データとに従って前記操作パネルを制御することを特徴とする請求項１に記載の表示装置。
【請求項３】  前記位置データに対応する操作可能な要素が操作された場合、前記制御手段は、前記位置データに対応する操作可能な要素を視覚的に変化させることを特徴とする請求項１又は２に記載の表示装置。
【請求項４】  前記位置データに対応する操作可能な要素が操作された場合において、前記位置データに対応する操作可能な要素が操作されたことを使用者に認識させるための認識音を出力する認識音出力手段をさらに有することを特徴とする請求項１から３のいずれかに記載の表示装置。
【請求項５】  前記制御手段は、前記複数の操作可能な要素の全てを前記トラックパッド部に割り当てるか否かを、前記複数の操作可能な要素の数に従って判定することを特徴とする請求項１から４のいずれかに記載の表示装置。
【請求項６】  前記制御手段は、前記複数の操作可能な要素の一部と、スクロールエリアとを前記トラックパッド部に割り当てるか否かを、前記複数の操作可能な要素の数に従って判定し、
前記トラックパッド部により前記スクロールエリアが操作された場合、前記制御手段は、前記複数の操作可能な要素の他の一部を前記トラックパッド部に割り当てることを特徴とする請求項１から４のいずれかに記載の表示装置。
【請求項７】  前記表示装置は、ＴＶ信号を受信する表示装置であることを特徴とする請求項１から６のいずれかに記載の表示装置。
【請求項８】  前記表示装置は、電子番組ガイドを受信する表示装置であることを特徴とする請求項１から７のいずれかに記載の表示装置。
【手続補正３】
【補正対象書類名】明細書
【補正対象項目名】０００１
【補正方法】変更
【補正の内容】
【０００１】
【発明の属する技術分野】
本発明は、トラックパッド（指でなぞって位置を入力する入力手段）を有するリモートコントロール装置により操作することができる表示装置に関する。
【手続補正４】
【補正対象書類名】明細書
【補正対象項目名】００１０
【補正方法】変更
【補正の内容】
【００１０】
本発明は、上述の事情に鑑みて成されたもので、直感的で、より使いやすい操作環境を提供することができる表示装置を提供することを目的とする。
【手続補正５】
【補正対象書類名】明細書
【補正対象項目名】００１１
【補正方法】変更
【補正の内容】
【００１１】
【課題を解決するための手段】
本発明に係る表示装置は、接触位置を示す位置データを出力するトラックパッド部を有するリモートコントロール装置から送信された前記位置データを受信する受信手段を有する表示装置であって、前記表示装置を制御するために用いられる操作パネルを表示する表示手段と、前記操作パネルに含まれる複数の操作可能な要素を前記複数の操作可能な要素の配列を変えることなく前記トラックパッド部に割り当て、前記受信手段により受信された前記位置データに従って前記操作パネルを制御する制御手段とを有することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２９
【補正方法】変更
【補正の内容】
【００２９】
このネットワークｓ１は、前記ＴＶ装置１、ＶＴＲ装置３などを接続し、データの送受信を行うもので、本実施例においては、ＩＥＥＥ１３９４規格に準じたものが使用される。
【手続補正１７】
【補正対象書類名】明細書
【補正対象項目名】００３７
【補正方法】変更
【補正の内容】
【００３７】
表示器１０４は、前記画像制御部１０３よりＲＧＢ画像データと、水平、垂直同期信号を入力し、表示する。本実施例に係る表示装置は、垂直解像度１０８０本、水平解像度１９２０本以上を表示できる高解像度のドットマトリクス・ディスプレイである。
【手続補正１８】
【補正対象書類名】明細書
【補正対象項目名】００５９
【補正方法】変更
【補正の内容】
【００５９】
又、前述したように、トラックパッド部２０２の操作を行い、押下されているかどうか、又、押下圧力の変化があるかどうかを検出し、その位置情報と、押下圧情報を、データ送受信部２０３を通して、出力する。
【手続補正１９】
【補正対象書類名】明細書
【補正対象項目名】００６６
【補正方法】変更
【補正の内容】
【００６６】
次に、本実施例で使用される操作パネルの構造とトラックパッドによる操作に関して説明する。
【手続補正２０】
【補正対象書類名】明細書
【補正対象項目名】００６７
【補正方法】変更
【補正の内容】
【００６７】
まず、本実施例で使用される操作パネルの構成について説明する。
【手続補正２１】
【補正対象書類名】明細書
【補正対象項目名】００８０
【補正方法】変更
【補正の内容】
【００８０】
ユーザがトラックパッド部２０２に対して行う、接触、押下、開放などの操作パネル−トラックパッド位置情報テーブルにより、後述のフォーカス処理、前記操作パネル内の対応要素の対応する処理が行われる。
【手続補正２２】
【補正対象書類名】明細書
【補正対象項目名】０１１１
【補正方法】変更
【補正の内容】
【０１１１】
処理フラグがセットされていなければ、まず、実行処理フラグをセットし（ステップＳ２１１８）、押し込まれたボタンに対応する処理はまだ未処理なので、該ボタンが押下され、処理が行われることをＴＶ視聴者に認識させるために、ある一定時間、ボタンの色と文字表示を更に変化させる（図１４では、押下した際、ボタンの輪郭に「ぎざぎざ」を付けた表示にしている）と共に、音声制御部１０５へ認識音を出力し、音を出し（ステップＳ２１１９）、対応する処理を行うように処理命令をシステム制御部１１０へ出す（ステップＳ２１２０）。
【手続補正２３】
【補正対象書類名】明細書
【補正対象項目名】０２５４
【補正方法】変更
【補正の内容】
【０２５４】
【発明の効果】
以上説明したように、本発明に係る表示装置によれば、直感的で、より使いやすい操作環境を提供することができる。